(57)【特許請求の範囲】
【請求項１】
パケッ卜通信ネットワークのリンクにおける周期Ｔ毎の平均使用帯域の分布を求めるシステムであって、
上記周期Ｔのｍ倍の周期ｍＴごとの実際のトラヒック量を取得して記憶装置に記録するデータ取得手段と、
上記記憶装置から上記周期ｍＴごとの実際のトラヒック量を読み出して、各周期ｍＴごとの単位時間当たりのトラヒック量を算出し、実測平均使用帯域ｗmとして上記記憶装置に記録する実測使用帯域算出手段と、
上記記憶装置から所定の期間に渡るｎ×ｋ個の上記実測平均使用帯域ｗmを読み出し、該ｎ×ｋ個の実測平均使用帯域ｗmの平均ｘと分散ｖmを求める平均分散算出手段と、
上記記憶装置から読み出した上記ｎ×ｋ個の実測平均使用帯域ｗmをｎ個ごとに集積して、各周期ｎｍＴ（＝ｎ×ｍ×Ｔ）ごとの単位時間当たりのトラヒック量（集積平均使用帯域ｗn）を算出し、該集積平均使用帯域ｗnの分散ｖnを求める第１の分散算出手段と、
上記分散ｖmと上記分散ｖnおよび上記ｍと上記ｎとを用いた上記分散ｖmと上記分散ｖnとの関係式に基づき、上記周期Ｔごとの単位時間当たりのトラヒック量の分散ｖを求める第２の分散算出手段と、
該第２の分散算出手段で求めた分散ｖと上記平均分散算出手段で求めた平均ｘとなる確率分布ｆ（ｖ，ｘ）を、上記リンクの周期Ｔごとの平均使用帯域の分布として求める平均使用帯域算出手段と
を有したことを特徴とするリンクの平均使用帯域取得システム。
【請求項２】
パケッ卜通信ネットワークのリンクにおける周期Ｔ毎の平均使用帯域の分布を求めるシステムであって、
上記周期Ｔのｍ倍の周期ｍＴごとの実際のトラヒック量を取得して記憶装置に記録するデータ取得手段と、
上記記憶装置から上記周期ｍＴごとの実際のトラヒック量を読み出して、各周期ｍＴごとの単位時間当たりのトラヒック量を算出し、実測平均使用帯域ｗmとして上記記憶装置に記録する実測使用帯域算出手段と、
上記記憶装置から所定の期間に渡るｎ×ｋ個の上記実測平均使用帯域ｗmを読み出し、該ｎ×ｋ個の実測平均使用帯域ｗmの平均ｘと分散ｖmを求める平均分散算出手段と、
上記記憶装置から読み出した上記ｎ×ｋ個の実測平均使用帯域ｗmをｎ個ごとに集積して、各周期ｎｍＴ（＝ｎ×ｍ×Ｔ）ごとの単位時間当たりのトラヒック量（集積平均使用帯域ｗn）を算出し、該集積平均使用帯域ｗnの分散ｖnを求める第１の分散算出手段と、
上記分散ｖmと上記分散ｖnおよび上記ｍと上記ｎとを用いた式（「log10ｖ＝（log10vm・log10mn−log10vn・log10m）／log10ｎ」）に基づき、上記周期Ｔごとの単位時間当たりのトラヒック量の分散ｖを求める第２の分散算出手段と、
該第２の分散算出手段で求めた分散ｖと上記平均分散算出手段で求めた平均ｘとなる確率分布ｆ（ｖ，ｘ）を、上記リンクの周期Ｔごとの平均使用帯域の分布として求める平均使用帯域算出手段と
を有したことを特徴とするリンクの平均使用帯域取得システム。
【請求項３】
請求項１、もしくは、請求項２のいずれかに記載のリンクの平均使用帯域取得システムであって、
上記データ取得手段は、ＳＮＭＰのＭＩＢ情報により上記周期ｍＴごとの実際のトラヒック量を取得する手段を有することを特徴とするリンクの平均使用帯域取得システム。
【請求項４】
請求項１から請求項３のいずれかに記載のリンクの平均使用帯域取得システムであって、
上記使用帯域分布推定手段で求めた確率分布ｆ（ｖ，ｘ）を、平均ｘ、分散ｖを持つ正規分布とする手段
を有することを特徴とするリンクの平均使用帯域取得システム。
【請求項５】
パケッ卜通信ネットワークのリンクにおける周期Ｔ毎の平均使用帯域の分布を求めるシステムによるリンクの平均使用帯域取得方法であって、
上記周期Ｔのｍ倍の周期ｍＴごとの実際のトラヒック量を取得して記憶装置に記録するステップと、
上記記憶装置から上記周期ｍＴごとの実際のトラヒック量を読み出して、各周期ｍＴごとの単位時間当たりのトラヒック量を算出し、実測平均使用帯域ｗmとして上記記憶装置に記録するステップと、
上記記憶装置から所定の期間に渡るｎ×ｋ個の上記実測平均使用帯域ｗmを読み出し、該ｎ×ｋ個の実測平均使用帯域ｗmの平均ｘと分散ｖmを求めるステップと、
上記記憶装置から読み出した上記ｎ×ｋ個の実測平均使用帯域ｗmをｎ個ごとに集積して、各周期ｎｍＴ（＝ｎ×ｍ×Ｔ）ごとの単位時間当たりのトラヒック量（集積平均使用帯域ｗn）を算出し、該集積平均使用帯域ｗnの分散ｖnを求めるステップと、
上記分散ｖmと上記分散ｖnおよび上記ｍと上記ｎとを用いた上記分散ｖmと上記分散ｖnとの関係式に基づき、上記周期Ｔごとの単位時間当たりのトラヒック量の分散ｖを求めるステップと、
該分散ｖと上記平均ｘとなる確率分布ｆ（ｖ，ｘ）を、上記リンクの周期Ｔごとの平均使用帯域の分布として求めるステップと
を有したことを特徴とするリンクの平均使用帯域取得方法。
【請求項６】
パケッ卜通信ネットワークのリンクにおける周期Ｔ毎の平均使用帯域の分布を求めるシステムによるリンクの平均使用帯域取得方法であって、
上記周期Ｔのｍ倍の周期ｍＴごとの実際のトラヒック量を取得して記憶装置に記録するステップと、
上記記憶装置から上記周期ｍＴごとの実際のトラヒック量を読み出して、各周期ｍＴごとの単位時間当たりのトラヒック量を算出し、実測平均使用帯域ｗmとして上記記憶装置に記録するステップと、
上記記憶装置から所定の期間に渡るｎ×ｋ個の上記実測平均使用帯域ｗmを読み出し、該ｎ×ｋ個の実測平均使用帯域ｗmの平均ｘと分散ｖmを求めるステップと、
上記記憶装置から読み出した上記ｎ×ｋ個の実測平均使用帯域ｗmをｎ個ごとに集積して、各周期ｎｍＴ（＝ｎ×ｍ×Ｔ）ごとの単位時間当たりのトラヒック量（集積平均使用帯域ｗn）を算出し、該集積平均使用帯域ｗnの分散ｖnを求めるステップと、
上記分散ｖmと上記分散ｖnおよび上記ｍと上記ｎとを用いた式（「log10ｖ＝（log10vm・log10mn−log10vn・log10m）／log10ｎ」）に基づき、上記周期Ｔごとの単位時間当たりのトラヒック量の分散ｖを求めるステップと、
該分散ｖと上記平均ｘとなる確率分布ｆ（ｖ，ｘ）を、上記リンクの周期Ｔごとの平均使用帯域の分布として求めるステップと
を有したことを特徴とするリンクの平均使用帯域取得方法。
【請求項７】
請求項５、もしくは、請求項６のいずれかに記載のリンクの平均使用帯域取得方法であって、
ＳＮＭＰのＭＩＢ情報により上記周期ｍＴごとの実際のトラヒック量を取得するステップを有することを特徴とするリンクの平均使用帯域取得方法。
【請求項８】
請求項５から請求項７のいずれかに記載のリンクの平均使用帯域取得方法であって、
上記確率分布ｆ（ｖ，ｘ）を、平均ｘ、分散ｖを持つ正規分布とするステップ
を有することを特徴とするリンクの平均使用帯域取得方法。
【請求項９】
パケッ卜通信ネットワークのリンクにおける周期Ｔ毎の平均使用帯域の分布をコンピュータ処理して求める方法の処理手順を記述したプログラムをコンピュータに読取り可能に記録する記録媒体であって、
請求項５から請求項８のいずれかに記載のリンクの平均使用帯域取得方法における各ステップを上記コンピュータに実行させるための処理プログラムを記録したことを特徴とする記録媒体。
【発明の詳細な説明】
【０００１】
【発明の属する技術分野】
本発明は、インターネットに代表されるパケット通信ネットワークにおける通信品質の管理技術に係わり、特に、数秒から十数秒といった短時間での通信品質の変動を効率的に把握するのに好適なリンクの平均使用帯域取得システムと方法およびその処理プログラムを記録した記録媒体に関するものである。
【０００２】
【従来の技術】
インターネットに代表されるパケット通信ネットワークでは、そのトラヒックは常に大きく変動しており、短時間におけるリンクの使用率あるいは使用帯域は大きく変動する。
【０００３】
また、ネットワークを用いて実際に利用されるアプリケーションでは、短時間におけるネットワークの品質が重要である。例えば、ＷＷＷ（World Wide Web）では、ホームぺージ１ぺージに相当するデータが転送されるために、要求される時間はせいぜい数秒から数十秒であり、その際の時間区間におけるネットワークの品質の劣化は、直ちにＷＷＷというサービスの品質劣化として現れる。
【０００４】
従って、実際のアプリケーションにおいて問題となる短い時間におけるリンクの使用率あるいは使用帯域を推定することができれば、ネットワークの性能管理上、有効である。
【０００５】
このようなリンクの使用率あるいは使用帯域を測定するための技術として、ＳＮＭＰ（Simple Network Management Protocol）のＭＩＢ（Message Information Base）を用いる技術がある。この技術では、ネットワーク上の装置、例えば、ルータにおいて定義されたＭＩＢの情報には、特定のインタフェースにおけるトラヒック量という項目があり、ネットワークを管理するサーバは、それらトラヒック情報をＳＮＭＰを用いて取得することが可能である
【０００６】
しかし一般に、ＭＩＢ情報の取得は、数分から数十分といった比較的長い周期で行われることが普通である。その理由は、ＭＩＢ情報を持つネットワーク装置の負荷を軽減するためであったり、あるいは、ＳＮＭＰによって発生するトラヒック量を少なくするためである。さらに、短い周期でのＭＩＢ情報の取得は、ネッ卜ワーク管理するサーバからネットワーク装置までのＳＮＭＰパケットの遅延時間が変動してしまい、ＭＩＢ情報自身の精度が低下するためである。
【０００７】
従って、従来のＭＩＢ情報の取得によって、直接的に、短時間のリンク平均使用率あるいは使用帯域を測定することは困難である。
【０００８】
これ以外の技術として、ネットワーク装置のＭＩＢを用いず、測定専用のＰｒｏｂｅ装置をネットワーク内に置く技術もある。Ｐｒｏｂｅ装置を特定のリンクに配置すれば、短時間におけるリンクの使用率あるいは使用帯域を測定することができる。しかしながら、Ｐｒｏｂｅ装置による測定は、ハードウェアとしてのＰｒｏｂｅ装置を配備することから、ネットワーク装置のＭＩＢによる情報取得に比べて高価なものとなる。
【０００９】
【発明が解決しようとする課題】
解決しようとする問題点は、従来の技術では、Ｐｒｏｂｅ装置といった特別なハードウェアを設けなければ、インターネットに代表されるパケット通信ネットワークにおける数秒から数十秒間隔といった短時間周期での通信品質を容易に取得することができない点である。
【００１０】
本発明の目的は、これら従来技術の課題を解決し、例えば、インターネットでのＷＷＷによるサービスの品質の管理を容易とし、インターネットに代表されるパケット通信ネットワークの性能管理を向上させることを可能とするリンクの平均使用帯域取得システムと方法およびその処理プログラムを記録した記録媒体を提供することである。
【００１１】
【課題を解決するための手段】
上記目的を達成するため、本発明のリンクの平均使用帯域取得システムと方法は、インターネットに代表されるパケッ卜通信ネットワークのリンクにおける周期Ｔ毎の平均使用帯域の分布を求めるシステムおよび方法であって、例えば、ＳＮＭＰのＭＩＢ情報により、周期Ｔのｍ倍の周期ｍＴごとの実際のトラヒック量（ａ1，ａ2，・・・）を取得して記憶装置に記録する。そして、まず、この周期ｍＴごとの実際のトラヒック量から、各周期ｍＴごとの単位時間当たりのトラヒック量（実測平均使用帯域ｗm＝ａ1／ｍＴ，ａ2／ｍＴ，・・・）を算出し、次に、所定の期間に渡るｎ×ｋ個の実測平均使用帯域ｗmを読み出して、ｎ×ｋ個の実測平均使用帯域ｗmの平均ｘ｛（ａ1＋ａ2＋・・・ａnk）÷（ｎ×ｋ×ｍＴ）｝と分散ｖmを求めると共に、ｎ×ｋ個の実測平均使用帯域ｗmをｎ個ごとに集積して、各周期ｎｍＴごとの単位時間当たりのトラヒック量（集積平均使用帯域ｗn＝（ａ1＋ａ2＋・・・ａn）÷（ｎ×ｍＴ），（ａn+1＋ａn+2＋・・・ａ2n）÷（ｎ×ｍＴ）、・・・））を算出し、この集積平均使用帯域ｗnの分散ｖnを求める。そして、分散ｖmと分散ｖnおよびｍとｎとを用いた分散ｖmと分散ｖnとの関係式、すなわち、「log10ｖ＝（log10vm・log10mn−log10vn・log10m）／log10ｎ」）の式に基づき、周期Ｔごとの単位時間当たりのトラヒック量の分散ｖを求め、このようにして求めた分散ｖと平均ｘとなる確率分布ｆ（ｖ，ｘ）を、リンクの周期Ｔごとの平均使用帯域の分布として求めることを特徴とする。
【００１２】
【発明の実施の形態】
以下、本発明の実施の形態を、図面により詳細に説明する。
図１は、本発明に係るリンクの平均使用帯域取得システムの構成例を示すブロック図であり、図２は、図１におけるリンクの平均使用帯域取得システムによる本発明に係るリンクの平均使用帯域取得方法の動作処理例を示すフローチャート、図５は、図１におけるリンクの平均使用帯域取得システムのハードウェア構成例を示すブロック図である。
【００１３】
図５において、５１はＣＲＴ（Cathode Ray Ｔube）やＬＣＤ（Liquid Crystal Display）等からなる表示装置、５２はキーボードやマウス等からなる入力装置、５３はＨＤＤ（Hard Disk Drive）等からなる外部記憶装置、５４はＣＰＵ（Central Processing Unit）５４ａや主メモリ５４ｂ等を具備してコンピュータ処理を行なう情報処理装置、５５は本発明に係わるプログラムやデータを記録したＣＤ−ＲＯＭ（Compact Disc-Read Only Memory）もしくはＤＶＤ（DigitalVideo Disc/Digital Versatile Disc）等からなる光ディスク、５６は光ディスク５５に記録されたプログラムおよびデータを読み出すための駆動装置、５７はＴＡ（ターミナルアダプタ）やモデム等からなる通信装置である。
【００１４】
光ディスク５５に格納されたプログラムおよびデータを情報処理装置５４により駆動装置５６を介して外部記憶装置５３内にインストールした後、外部記憶装置５３から主メモリ５４ｂに読み込みＣＰＵ５４ａで処理することにより、情報処理装置５４が図１に示すリンクの平均使用帯域取得システム６として機能する。
【００１５】
図１において、１〜３はルータ（図中、「ルータＡ〜Ｃ」と記載）、４，５はＷｅｂサーバ等のホストコンピュータ（図中、「ホストＡ，Ｂ」と記載）、６はリンクの平均使用帯域取得システムであり、このリンクの平均使用帯域取得システム６は、データ取得部７と、実測使用帯域算出部８、平均分散算出部９、第１の分散算出部１０、第２の分散算出部１１、および、平均使用帯域算出部１２を有しており、このような構成により、インターネットに代表されるパケッ卜通信ネットワークのリンクにおける数秒もしくは数十秒といった短時間の周期Ｔ毎の平均使用帯域の分布を効率的に求めることができる。
【００１６】
以下、図２に示すフローチャートも併用して、図１に示す構成のリンクの平均使用帯域取得システム６によるリンクの平均使用帯域取得方法に係わる処理動作を説明する。
【００１７】
まず、図２のステップ２０１では、図１のデータ取得部７において、ルータ１〜３からＳＮＭＰのＭＩＢにより、周期Ｔのｍ倍の周期ｍＴごと、例えば、周期Ｔを１０秒とすれば、ｍ＝３０として、３００秒（＝５分）周期毎の実際のトラヒック量（ａ1ビット，ａ2ビット，・・・）を取得して図５における外部記憶装置５３等に記録する。
【００１８】
そして、図２のステップ２０２では、図１の実測使用帯域算出部８において、外部記憶装置５３から５分（周期ｍＴ）ごとの実際のトラヒック量を読み出して、各周期ｍＴ（５分＝３００秒）ごとの単位時間当たりのトラヒック量（ａ1ビット／３００秒，ａ2ビット／３００秒，・・・）を算出し、実測平均使用帯域ｗmとして、例えば、図５における主メモリ２４ｂ等に記録する。
【００１９】
さらに、図２のステップ２０３では、図１の平均分散算出部９において、外部記憶装置５３から、所定の期間に渡るｎ×ｋ個、例えば、ｎ＝６、ｋ＝４として、２時間（１２０分）分での２４個（＝１２０分÷５分）の実測平均使用帯域ｗm（ａ1ビット／３００秒，ａ2ビット／３００秒，・・・，ａ24ビット／３００秒）を読み出し、この２４個（ｎ×ｋ）の実測平均使用帯域ｗmの平均ｘを、（ａ1＋ａ2＋・・・ａ24）÷（２４×３００）で求め、さらに、この平均ｘを基に、実測平均使用帯域ｗm（５分周期での単位時間当たりのトラヒック量）の分散ｖmを求める。
【００２０】
また、図２のステップ２０４では、図１の第１の分散算出部１０において、２４個（ｎ×ｋ）の実測平均使用帯域ｗmをｎ個、すなわち６個（＝６×５分＝３０分）ごとに集積して、各周期ｎｍＴ（＝６×３０×１０）、すなわち、３０分周期ごとの単位時間当たりのトラヒック量（集積平均使用帯域ｗn）を、▲１▼（ａ1＋ａ2＋・・・＋ａ6）÷（２４×３００）、▲２▼（ａ7＋ａ8＋・・・＋ａ12）÷（２４×３００）、▲３▼（ａ13＋ａ14＋・・・＋ａ18）÷（２４×３００）、▲４▼（ａ19＋ａ20＋・・・＋ａ24）÷（２４×３００）として算出し、平均ｘを基に、この集積平均使用帯域ｗn（３０分周期での単位時間当たりのトラヒック量）の分散ｖnを求める。
【００２１】
また、図２のステップ２０５では、図１の第２の分散算出部１１において、分散ｖmと分散ｖnおよびｍとｎとを、分散ｖmと分散ｖnとの関係式、例えば、「log10ｖ＝（log10vm・log10mn−log10vn・log10m）／log10ｎ」の式に代入して、周期Ｔ（１０秒）ごとの単位時間当たりのトラヒック量の分散ｖを求める。
【００２２】
そして、図２のステップ２０６では、図１の平均使用帯域算出部１２において、第２の分散算出部１１で求めた分散ｖと平均分散算出部９で求めた平均ｘとなる確率分布ｆ（ｖ，ｘ）を、リンクの周期Ｔ、すなわち、１０秒周期ごとの平均使用帯域の分布として求める。
【００２３】
この１０秒単位での平均使用帯域の分布を求めるためには、分散と平均だけが与えられれば、分布が特定できる正規分布を用いる。理論的には、対象となっている１０秒単位が、十分に長い時間であるとみなすことができるならば、中心極限定理により正規分布を当てはめることは妥当である。
【００２４】
図３は、図１におけるリンクの平均使用帯域取得システムにより求めた分散と実際の測定結果に基づく分散との比較例を示す説明図である。
【００２５】
この図３では、図１のリンクの平均使用帯域取得システムにより、図２の処理に基づき求めた１０秒周期での使用帯域の分散ｖの算出結果と、同じく１０秒周期で実際に測定した結果に基づく使用帯域の分散とを示している。
【００２６】
すなわち、図３において、横軸のＭは、対象となる１０秒に対して何倍の測定時間をとっているかを表わしており、ここでは、５分周期での分散ｖmと６０分周期での分散ｖnおよびｍ（＝３０）とｎ（＝６）から、式（「log10ｖ＝（log10vm・log10mn−log10vn・log10m）／log10ｎ」）を用いて算出された１０秒周期（Ｔ）ごとの使用帯域の分散ｖと、実際に測定された１０秒単位での使用帯域の分散が示されている。
【００２７】
尚、本図３では、Ｘ軸およびＹ軸ともに対数をとっている。ここでは、５分周期の分散ｖmと３０分周期の分散ｖnのそれぞれ対数をとったものと、１０秒単位での使用帯域の分散ｖの対数をとったものが、線形近似できることを利用している。
【００２８】
この図３からは、図１におけるリンクの平均使用帯域取得システムによる図２の処理に基づき、多少大き目であるものの、１０秒周期での分散ｖが適切に算出されたことが分かる。
【００２９】
図４は、図１におけるリンクの平均使用帯域取得システムにより求めた使用帯域の分布と実際の測定結果に基づく使用帯域の分布との比較例を示す説明図である。
【００３０】
本図４では、図１におけるリンクの平均使用帯域取得システムにおいて、正規分布を用いて求められた１０秒周期での使用帯域の分布（図中、白抜き三角で表す）と、実際に測定された１０秒単位での使用帯域の分布（図中、黒塗り四角で表す）を示し、使用帯域Ｗが、帯域ｗ以上である確率を示している。
【００３１】
以上、図１〜図５を用いて説明したように、本例のリンクの平均使用帯域取得システムと方法では、パケッ卜通信ネットワークのリンクにおける周期Ｔ毎の平均使用帯域の分布を求める際、まず、周期Ｔのｍ倍の周期ｍＴごとの実際のトラヒック量を取得しておき、この周期ｍＴごとの実際のトラヒック量に基づき、各周期ｍＴごとの単位時間当たりのトラヒック量を算出し、実測平均使用帯域ｗmとして求める。さらに、所定の期間に渡るｎ×ｋ個の実測平均使用帯域ｗmの平均ｘと分散ｖmを求めると共に、ｎ×ｋ個の実測平均使用帯域ｗmをｎ個ごとに集積して、各周期ｎｍＴ（＝ｎ×ｍ×Ｔ）ごとの単位時間当たりのトラヒック量（集積平均使用帯域ｗn）を算出し、この集積平均使用帯域ｗnの分散ｖnを求める。そして、分散ｖmと分散ｖnおよびｍとｎとを用いた分散ｖmと分散ｖnとの関係式（「log10ｖ＝（log10vm・log10mn−log10vn・log10m）／log10ｎ」）に基づき、周期Ｔごとの単位時間当たりのトラヒック量の分散ｖを求め、この分散ｖと平均ｘとなる確率分布ｆ（ｖ，ｘ）を、リンクの周期Ｔごとの平均使用帯域の分布として求める。
【００３２】
このことにより、ネットワーク装置のＭＩＢ情報のように、取得が容易で、比較的長時間のリンク平均使用率あるいは使用帯域の測定値だけを用いて、短時間の使用率あるいは使用帯域の分布を推定することができる。
【００３３】
尚、本発明は、図１〜図５を用いて説明した例に限定されるものではなく、その要旨を逸脱しない範囲において種々変更可能である。例えば、本例では、ルータからのＳＮＭＰのＭＩＢによりトラヒック情報を取得する構成としているが、ゲートウェイ等、ルータ以外の装置から、ＳＮＭＰのＭＩＢ以外の手順でトラヒック情報を取得する構成でも良い。
【００３４】
また、本例では、リンクの平均使用帯域取得システムの構成として図５のコンピュータ構成例を示したが、キーボードや光ディスクの駆動装置の無いコンピュータ構成としても良い。また、本例では、光ディスクを記録媒体として用いているが、ＦＤを記録媒体として用いることでも良い。また、プログラムのインストールに関しても、通信装置を介してネットワーク経由でプログラムをダウンロードしてインストールすることでも良い。
【００３５】
【発明の効果】
本発明によれば、パケット通信ネットワークにおける数秒から数十秒間隔といった短時間周期での通信品質の取得が、特別なハードウェアを設けることなく可能となり、例えば、ＷＷＷによるサービスの品質の管理を容易とし、インターネット等のパケット通信ネットワークの性能を向上させることが可能である。
【図面の簡単な説明】
【図１】本発明に係るリンクの平均使用帯域取得システムの構成例を示すブロック図である。
【図２】図１におけるリンクの平均使用帯域取得システムによる本発明に係るリンクの平均使用帯域取得方法の動作処理例を示すフローチャートである。
【図３】図１におけるリンクの平均使用帯域取得システムにより求めた分散と実際の測定結果に基づく分散との比較例を示す説明図である。
【図４】図１におけるリンクの平均使用帯域取得システムにより求めた使用帯域の分布と実際の測定結果に基づく使用帯域の分布との比較例を示す説明図である。
【図５】図１におけるリンクの平均使用帯域取得システムのハードウェア構成例を示すブロック図である。
【符号の説明】
１〜３：ルータ（「ルータＡ〜Ｃ」）、４，５：ホストコンピュータ（「ホストＡ，Ｂ」）、６：リンクの平均使用帯域取得システム、７：データ取得部、８：実測使用帯域算出部、９：平均分散算出部、１０：第１の分散算出部、１１：第２の分散算出部、１２：平均使用帯域算出部、５１：表示装置、５２：入力装置、５３：外部記憶装置、５４：情報処理装置、５４ａ：ＣＰＵ、５４ｂ：主メモリ、５５：光ディスク、５６：駆動装置、５７：通信装置。
【図１】
0003542030.tif 000002
【図２】
0003542030.tif 000003
【図３】
0003542030.tif 000004
【図４】
0003542030.tif 000005
【図５】
0003542030.tif 000006